(57)【要約】【課題】ペン型情報再生装置等の専用の装置を別途必要とせずに音声の再生を実現できる音声再生方法及び電子カメラ並びに写真プリント装置を提供する。【解決手段】音声情報は光学読取可能な情報コードの形態に変換され、この情報コード（音声コード１４）が画像形成媒体１２上に形成されている。カメラ１０の撮像手段を利用して音声コード１４を撮像し、得られた画像データを解析することにより音声データに変換する。こうして得られた音声データを再生処理して音声として可聴出力するとともに音声データとしてカメラ１０のメモリカードに記録する。【選択図】　　図１
2004147254.tif 000002
【特許請求の範囲】
【請求項１】
光学読取可能な情報コードの形態により画像形成媒体上に形成されている音声データコードを電子カメラの撮像手段によって撮像する工程と、
前記撮像手段を介して取得した前記音声データコードの画像データから音声データを復元する工程と、
前記復元された音声データを再生し、聴き取り可能な音声として出力する工程と、
を含むことを特徴とする音声再生方法。
【請求項２】
光学像を電気信号に変換する撮像手段と、前記撮像手段を介して取得した画像データを記録媒体に記録する記録手段と、を有する電子カメラであって、
光学読取可能な情報コードの形態により画像形成媒体上に形成されている音声データコードを前記撮像手段で撮像して得られた画像データから音声データを復元する信号処理手段と、
前記信号処理手段により復元された音声データを再生し、聴き取り可能な音声として出力する音声出力手段と、
を備えたとを特徴とする電子カメラ。
【請求項３】
前記信号処理手段により復元された音声データを前記記録媒体に記録する音声記録手段を備えたことを特徴とする請求項２記載の電子カメラ。
【請求項４】
電子カメラで記録された情報を入手する情報入手手段と、
前記情報入手手段から入手した音声データを光学的読み取り可能な形式の音声データコードに変換する形式変換手段と、
前記形式変換手段により生成された音声データコードおよび前記情報入手手段から入手した画像データが示す画像を同一の印刷媒体にプリントするプリント手段と、
を備えたことを特徴とする写真プリント装置。
【発明の詳細な説明】
【０００１】
【発明の属する技術分野】
本発明は音声再生方法および電子カメラ並びに写真プリント装置に係り、特に音声情報を取り扱うデジタルカメラに好適な音声の記録／再生技術に関する。
【０００２】
【従来の技術】
近年、デジタルカメラにボイスメモ等の情報記録機能および音声再生機能が組み込まれている製品が一般化している。通常は一枚の静止画に対応付けられた音声データをカメラが記録し、記録された音声データはカメラの音声再生機能により再生される。
【０００３】
特許文献１に開示された情報記録再生システムでは、音声等のオーディオ情報、カメラ等から得られる映像情報およびパソコン等から得られるデジタルコード等のいわゆるマルチメディア情報を光学的に読み取り可能なドットコードとして画像や文字と一緒に紙等の媒体上に記録している。そして、ペン型情報再生装置を用いてドットコードを読み込み、音声情報はペン型情報再生装置に取り付けられたイヤホン等の音声出力器に出力し、映像はペン型情報再生装置に接続されたＣＲＴ等の表示装置に出力し、また、デジタルコードはペン型情報再生装置に接続されたプリンター等の出力装置に出力するようになっている。
【０００４】
【特許文献１】
特開平６−２３１４６６号公報
【０００５】
【発明が解決しようとする課題】
しかしながら、特許文献１に開示された情報記録再生システムでは、マルチメディア情報であるドットコードを読み取るための読取装置およびドットコードを解釈し再生する再生装置が必要である。
【０００６】
本発明はこのような事情を鑑みてなされたもので、ペン型情報再生装置等の専用の装置を別途必要とせずに音声の再生を実現できる音声再生方法および電子カメラ並びに写真プリント装置を提供することを目的とする。
【０００７】
【課題を解決するための手段】
前記目的を達成するために本発明に係る音声再生方法は、光学読取可能な情報コードの形態により画像形成媒体上に形成されている音声データコードを電子カメラの撮像手段によって撮像する工程と、前記撮像手段を介して取得した前記音声データコードの画像データから音声データを復元する工程と、前記復元された音声データを再生し、聴き取り可能な音声として出力する工程と、を含むことを特徴としている。
【０００８】
本発明によれば、音声情報は光学読取可能な情報コードの形態に変換され、この情報コード（音声データコード）が画像形成媒体上に形成されている。電子カメラの撮像手段を利用して音声データコードを撮像し、得られた画像データを解析することにより音声データに変換する。こうして得られた音声データを再生処理して音声として可聴出力する。このように、電子カメラの撮像機能を利用して画像情報から音声情報を再生することにより、専用の情報再生装置が不要となり、電子カメラの付加価値を高めることができる。
【０００９】
なお、画像形成媒体とは、音声データコードが形成される媒体を意味し、音声データコードが印刷される用紙、プレートその他の印刷媒体や、音声データコードが映出されるＣＲＴ、液晶ディスプレイその他の画像表示装置などを包含するものである。
【００１０】
また、前記目的を達成するために本発明に係る電子カメラは、光学像を電気信号に変換する撮像手段と、前記撮像手段を介して取得した画像データを記録媒体に記録する記録手段と、を有する電子カメラであって、光学読取可能な情報コードの形態により画像形成媒体上に形成されている音声データコードを前記撮像手段で撮像して得られた画像データから音声データを復元する信号処理手段と、前記信号処理手段により復元された音声データを再生し、聴き取り可能な音声として出力する音声出力手段と、を備えたことを特徴としている。
【００１１】
上記構成の電子カメラにおいて、更に、前記信号処理手段により復元された音声データを前記記録媒体に記録する音声記録手段を備えたる態様が好ましい。
【００１２】
かかる態様によれば、撮像手段で撮像した音声データコードをカメラ内部で音声データに変換して記録媒体に記録する機能を実現できる。
【００１３】
光学読取可能な音声データコードを生成する一態様として、本発明に係る写真プリント装置は、電子カメラで記録された情報を入手する情報入手手段と、前記情報入手手段から入手した音声データを光学的読み取り可能な形式の音声データコードに変換する形式変換手段と、前記形式変換手段により生成された音声データコードおよび前記情報入手手段から入手した画像データが示す画像を同一の印刷媒体にプリントするプリント手段と、を備えたことを特徴としている。
【００１４】
音声録音機能付きの電子カメラを用いて画像と音声を記録し、その画像データと音声データを同一の印刷媒体（プリント用紙など）にプリントすることにより、音声情報付きの写真を形成することが可能になる。
【００１５】
【発明の実施の形態】
以下、添付図面に従って本発明に係る音声再生方法および電子カメラ並びに写真プリント装置の好ましい実施の形態について説明する。
【００１６】
［基本実施形態］
図１は本発明の基本実施形態を示す図であり、光学読取可能な情報コード形式に記録された音声データコードをカメラにより取得する様子が示されている。
【００１７】
カメラ１０は被写体の光学像をデジタル画像データに変換して記録するデジタルカメラであって、音声再生機能を備えている。
【００１８】
符号１２で示した画像形成媒体（例えば用紙）にはメッセージ等の音声が光学読取可能な形式にコード化された二次元コード（以下音声コードと記載）１４が形成されている。音声コード１４の形式にはバーコード、ドットコード等があるが、音声コード１４は音声情報を表すことが可能であればよく、任意の文字列、任意の数字列等、何れの形式でもよい。
【００１９】
本例の音声コード１４は画像形成媒体１２たる用紙上にカラー印刷されており、バー（色が付けられた部分）、スペース（白い部分）の太さ、パターンに加え、バーの色が意味（情報）を持っている。
【００２０】
図２は音声コード１４の拡大図である。
【００２１】
画像形成媒体１２には音声コード１４の他に、音声コード１４の領域を示す領域マーカー１６および中心合わせ用マーカー（以下中心マーカーと記載）１８が形成されている。領域マーカー１６および中心マーカー１８は音声コード１４と区別できる形状、大きさ、色である。
【００２２】
また領域マーカー１６は撮影時の画角合わせに使用され、中心マーカー１８は中心合わせおよび焦点合わせに利用される。
【００２３】
画像形成媒体１２の材質は紙に限定されず、音声コード１４、領域マーカー１６、中心マーカー１８をカメラ１０でカラー撮影可能であれば金属や樹脂等でもよい。
【００２４】
図３乃至図７はカメラ１０の外観を示す正面図、背面図、平面図、底面図、および右側面図である。
【００２５】
図３に示すカメラ１０の前面には、沈胴式の撮影レンズ２０、ファインダー窓２１、ストロボ２２、ストロボ調光センサー２３、セルフタイマーランプ２４、マイク２６が設けられている。
【００２６】
また、カメラ１０の前面には、前記撮影レンズ２０の沈胴位置で開閉されるレンズバリア２８（図８参照）が設けられている。なお、図３では、レンズバリア２８が開放された状態を示している。
【００２７】
図４に示すカメラ１０の背面には、ファインダー３０、モードダイヤル３２、右キー３４、左キー３６、上下レバー３７、メニュー／実行キー３８、キャンセル／戻るキー４０、表示キー４２および液晶モニタ４４が設けられている。
【００２８】
モードダイヤル３２は、カメラの機能（モード）を変更する手段であり、モードダイヤル３２を回動操作することにより、静止画撮影を行う撮影モード、撮影した画像を再生する再生モード、音声付き動画撮影を行うムービーモード、画像無しの音声記録を行うボイスレコーダモードに設定できる。また静止画撮影後にその画像と関連付けて音声を記録するボイスメモ機能を有している。
【００２９】
右キー３４および左キー３６は、それぞれ再生モード時に１コマ逆送りボタン、１コマ順送りボタンとして機能し、あるいは、メニュー画面にてカーソルを右左に移動させるボタンとして機能する。
【００３０】
また、上下レバー３７は再生機能や撮影時のズーム機能における倍率調整用ズームキー等として用いられる。
【００３１】
メニュー／実行キー３８は各モードの通常画面からメニュー画面へ遷移させる時、あるいは、選択内容の確定、処理の実行（確認）指示の時などに使用される。
【００３２】
キャンセル／戻るキー４０はメニューから選んだ項目の取り消し（キャンセル）や一つ前の操作状態に戻る時などに使用される。
【００３３】
表示キー４２は液晶モニタ４４をＯＮ／ＯＦＦ操作したり、再生方法や再生中のコマ番号等の表示／非表示を切り替えたりするための操作手段である。
【００３４】
液晶モニタ４４は、電子ビューファインダーとして使用できるとともに、撮影した画像やカメラに装填されたメモリカードから読み出した再生画像等を表示することができる。また、液晶モニタ４４は、撮影可能コマ数や再生コマ番号の表示、ストロボ発光の有無、マクロモード表示、記録画質（クオリティー）表示、画素数表示等の情報も表示される。
【００３５】
図５に示すカメラ１０の上面には、電源スイッチを兼ねたモード設定スイッチ４６およびレリーズボタン４８が設けられている。
【００３６】
モード設定スイッチ４６は、図５上でツマミが右方向に移動する時にはロックされ、ツマミが左方向に移動する時にはロックされないスライドスイッチであり、前記ツマミが右方向に移動してロックされると、オーディオモードを設定し、前記ツマミが左方向に移動する毎にカメラモードとカメラ内電源をＯＦＦにするＯＦＦモードとを交互に設定する。
【００３７】
レリーズボタン４８は２段階式に構成され、レリーズボタン４８を軽く押して止める「半押し（Ｓ１　＝ＯＮ）」の状態で自動ピント合わせ（以下ＡＦと記載）および自動露出制御（以下ＡＥと記載）が作動してＡＦとＡＥをロックし、「半押し」から更に押し込む「全押し（Ｓ２＝ＯＮ）」の状態で撮影が実行される。レリーズボタン４８は、静止画の記録開始の指示を与える手段であるとともに、動画の録画ボタン（録画スタート／ストップボタン）およびボイスレコーダモード下での録音ボタン（録音スタート／ストップボタン）として兼用される。
【００３８】
図６に示すカメラ１０の底面には、メモリカード（スマートメディア）のスロットカバーを兼ねた電池カバー５０、および三脚ねじ穴５２が設けられている。
【００３９】
図７に示すカメラ１０の右側面（グリップと反対側の側面）には、音声／映像出力端子（ラインＯＵＴ）５４、リモコン端子５６、デジタル（ＵＳＢ）端子５８、電源入力端子６０、スピーカー６２が設けられている。
【００４０】
図８はカメラ１０の内部構成を示したブロック図である。
【００４１】
同図において、中央処理装置（ＣＰＵ）７０は、本カメラシステムを統括制御する制御部である。ＣＰＵ７０は、モードダイヤル３２、モード設定スイッチ４６、レリーズボタン４８等からの指示信号の入力に基づいてカメラ１０内の各回路の動作を制御する。
【００４２】
ＲＯＭ７１にはＣＰＵ７０が処理するプログラムおよび制御に必要な各種データ等が格納されている。ＲＡＭ７３は画像処理領域の他、ＣＰＵ７０が各種の演算処理等を行う作業用領域を有している。
【００４３】
撮影レンズ２０を通過した光は、図示せぬ絞りによって光量が調節された後、ＣＣＤイメージセンサ（以下ＣＣＤと記載）７４に入射する。ＣＣＤ７４の受光面には、多数のフォトセンサが平面的に配列されており、撮影レンズ２０を介してＣＣＤ７４の受光面に結像された被写体像は、各フォトセンサによって入射光量に応じた量の信号電荷に変換される。なお、ＣＣＤ７４は、シャッターゲートパルスのタイミングによって各フォトセンサの電荷蓄積時間（シャッタースピード）を制御する、いわゆる電子シャッター機能を有している。
【００４４】
このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで各画素ごとのＲ、Ｇ、Ｂ信号がサンプリングホールドされるともに増幅され、Ａ／Ｄ変換器７８に加えられる。Ａ／Ｄ変換器７８は、ＣＤＳ回路７６から順次加えられるＲ、Ｇ、Ｂ信号をデジタル信号に変換して画像信号処理回路８０に出力する。
【００４５】
画像信号処理回路８０は、Ａ／Ｄ変換器７８から加えられる点順次のＲ、Ｇ、Ｂ信号を同時式に変換する同時化処理、ホワイトバランス調整、ガンマ補正、輝度／色差信号処理（ＹＣ処理）等の所定の画像処理を行う。画像信号処理回路８０で処理された画像データはＲＡＭ７３に格納される。撮影画像を表示出力する場合、ＲＡＭ７３から画像データが読み出され、このデータが内部バス８５を介して画像再生処理回路８６に転送される。
【００４６】
画像再生処理回路８６に送られたデータは、画像再生処理回路８６およびビデオエンコード回路８８を介して表示用の所定方式の信号（例えば、ＮＴＳＣ方式のカラー複合映像信号）に変換された後、液晶モニタ４４に出力されるとともに、音声／映像出力端子５４に出力される。ＣＣＤ７４から出力される画像信号によってＲＡＭ７３内の画像データが定期的に書き換えられ、その画像データから生成される映像信号が液晶モニタ４４に供給されることにより、ＣＣＤ７４を介して入力する画像がリアルタイムに液晶モニタ４４に表示される。撮影者は、液晶モニタ４４に映し出される画像（スルー画）、或いはファインダー３０によって撮影画角を確認できる。
【００４７】
モードダイヤル３２によって撮影モードが設定されると、液晶モニタ４４に被写体選択画面が表示される。前記被写体表示画面では「ノーマル」と「コード」を選択することができる。右キー３４あるいは左キー３６を操作してどちらか一方を選び、メニュー／実行キー３８の押下により選択を確定する。
【００４８】
上記被写体選択により「ノーマル」を選択した場合には、通常の写真撮影が行われる。レリーズボタン４８が押されると（Ｓ２＝ＯＮ）、撮影開始指示（レリーズＯＮ）信号が発せられる。ＣＰＵ７０は、この指示信号の受入に呼応して、記録用の画像データの取り込みを開始する。なお、ＣＰＵ７０は、撮影動作に先立ち、レリーズボタン４８の半押し（Ｓ１　＝ＯＮ）に応動してＡＦ制御およびＡＥ制御を行う。すなわち、ＣＰＵ７０はＣＣＤ７４から得られる画像データに基づいて焦点評価演算やＡＥ演算などの各種演算を行い、その演算結果に基づいてレンズ駆動用モータ９０のドライバ９２を制御し、撮影レンズ２０を合焦位置に移動させる一方、図示せぬアイリス駆動部を制御して絞りを適正絞り値に設定するとともにＣＣＤ７４の電荷蓄積時間を制御する。また、ＣＰＵ７０は、必要に応じてストロボ発光制御を行う。
【００４９】
レリーズボタン４８全押し（Ｓ２＝ＯＮ）に応動して取り込まれた画像データは、ＹＣ処理その他の所定の信号処理を経てＲＡＭ７３に格納される。ＣＰＵ７０は圧縮伸長処理回路９４にコマンドを送り、これにより圧縮伸長処理回路９４は、ＲＡＭ７３上に取り込まれた画像データ（輝度信号Ｙとクロマ信号Ｃｒ、Ｃｂ）を所定のフォーマット（例えば、ＪＰＥＧ方式）　に従って圧縮する。圧縮されたデータは、メディアコントロール回路９６を介してメモリカード９８に記録される。
【００５０】
本例のカメラ１０では、画像データを保存する手段として、例えばスマートメディア（Ｓｏｌｉｄ−Ｓｔａｔｅ　Ｆｌｏｐｐｙ　Ｄｉｓｋ　Ｃａｒｄ）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。リムーバブルメディアに限らず、カメラ１０に内蔵された記録媒体（内部メモリ）であってもよい。
【００５１】
カメラ１０には撮影後（記録前）に撮影結果を液晶モニタ４４に表示して、その撮影画像を記録するか否かをユーザーが選択できるようにした機能（プレビュー機能）が設けられている。ユーザーは、セットアップメニュー画面において、プレビュー機能の有効／無効を指定することができる。プレビュー機能が「有効」の場合、撮影直後に撮影画像が表示され、当該画像の記録を容認する場合は、ユーザーはメニュー／実行キー３８を押下して、「記録ＯＫ」の指示を入力する。この指示入力に応動して撮影画像がメモリカード９８に書き込まれる。また、液晶モニタ４４に表示された撮影画像の記録を希望しない場合、ユーザーはキャンセル／戻るキー４０を押下して「記録取消」の指示を入力する。この指示入力応動して撮影画像の記録処理が取り消される。
【００５２】
また、静止画の撮影後に一定時間内の音声を記録できるボイスメモ機能を有している。静止画の撮影モード（オート撮影モード、またはマニュアル撮影モード）におけるメニュー画面でボイスメモ機能のＯＮ／ＯＦＦを選択できるようになっている。
【００５３】
ボイスメモ機能ＯＮが選択されている場合、撮影を実行して画像データをメモリカード９８に書き込み終わると、液晶モニタ４４には記録画像を背景とする録音スタンバイ画面が表示される。録音スタンバイ画面でキャンセル／戻るキー４０を押下した場合、ボイスメモ録音を実行せずに、通常の撮影画面に遷移する。
【００５４】
一方、レリーズボタン全押し（Ｓ２＝ＯＮ）でボイスメモ録音を開始し、その後レリーズボタン４８の半押し（Ｓ１＝ＯＮ）で録音を完了する。ここでメニュー／実行キー３８を押下すると音声データをメモリカード９８に書き込む処理が実行される。録音中にキャンセル／戻るキー４０を押下した場合は録音がキャンセルされ、録音スタンバイ画面に戻る。
【００５５】
録音が一定時間（例えば３０秒間）を超えると録音は強制的に終了され、液晶モニタ４４には録音終了画面が表示される。ここでメニュー／実行キー３８を押下すると、録音内容がメモリカード９８に書き込まれる。録音のやり直しを希望する場合には、キャンセル／戻るキー４０を押下して録音スタンバイ画面に戻す。こうしてボイスメモ機能による音声記録が完了すると、通常の撮影モードに復帰して、撮影が可能となる。
【００５６】
また、被写体選択において「コード」を選択した場合には、音声コード読み込みが行われる。音声コード読み込みでは、音声コード１４をカメラ１０の撮像手段により撮影する。撮影された音声コード１４は所定の信号処理を施され、画像としてＲＡＭ７３に一時記憶される。その後、ＣＰＵ７０はＲＯＭ７１に格納されたデコードプログラムを起動し、ＲＡＭ７３に記憶された音声コード（画像）を読み出す。読み出された音声コード（画像）は音声データに変換され、メモリカード９８に記録される。
【００５７】
図９は音声コード１４の読み込みの流れを示したフローチャートである。
【００５８】
モードダイヤル３２により撮影モードが選択されると（ステップＳ１０）、被写体選択において通常の写真撮影を行う「ノーマル」あるいは音声コード撮影を行う「コード」のどちらかを選択する（ステップＳ１２）。「ノーマル」が選択されると、通常の写真撮影を行う（ステップＳ１４）。
【００５９】
一方、「コード」が選択されると、ＣＰＵ７０はＲＯＭ７１に格納されたデコードプログラムを起動し（ステップＳ１６）、デコードプログラムが起動されると、図１０に示すとおり、液晶モニタ４４には音声コード読み込み状態を示す「コード」表示１１０および、画角合わせ用枠１１２、中心合わせ用枠１１４が表示される（ステップＳ１８）。
【００６０】
レリーズボタン４８半押し（Ｓ１＝ＯＮ）が行われると（ステップＳ２０）、ＡＥ、ＡＦ、ＡＷＢ（オートホワイトバランス）制御および所定の信号処理が行われ（ステップＳ２２）、取り込まれた音声コード１４は画像形式ファイルとして、一時ＲＡＭ７３に格納される（ステップＳ２４）。
【００６１】
ここで、撮影レンズ２０の合焦検出が行われる（ステップＳ２６）。合焦検出は音声コード１４が形成された画像形成媒体１２に形成された中心合わせ用マーカー１８と液晶モニタ４４に表示された中心合わせ用枠１１４が重なるようフレームを合わせ、中心合わせ用マーカー１８に撮影レンズ２０が合焦するかを検出する。
【００６２】
撮影レンズ２０の合焦が検出されない場合には、図１１に示す合焦警告表示１２０が液晶モニタ４４に表示され（図９のステップＳ２８）、カメラの制御はレリーズボタン４８半押し（Ｓ１＝ＯＮ）待ち状態に遷移する。
【００６３】
一方、撮影レンズの合焦が検出されると、マーカー検出が行われる（ステップＳ３０）。マーカー検出では、液晶モニタ４４に表示された画角合わせ用枠１１２と画像形成媒体１２に表示された領域マーカー１６が重なっているかを検出する。画角合わせ用枠１１２と領域マーカー１６が重ならない場合には、図１２に示すマーカー警告表示１３０が液晶モニタ４４に表示され（図９のステップＳ３２）、カメラ１０の制御はレリーズボタン４８半押し（Ｓ１＝ＯＮ）待ち状態に遷移する。画角合わせ用枠１１２と領域マーカー１６が重なると、レリーズボタン４８全押し（Ｓ２＝ＯＮ）により（ステップＳ３４）、ＲＡＭ７３に格納された音声情報は画像信号処理回路８０に読み出され（ステップＳ３６）、音声データに変換される（ステップＳ３８）。
【００６４】
ここで液晶モニタ４４には、図１３に示す音声再生選択画面１４０が表示される。音声再生選択画面１４０において音声再生を行うあるいは音声再生を行わないの何れかを選択する（図９のステップＳ３９）。
【００６５】
音声再生選択画面１４０において「いいえ」を選択すると、音声処理回路１００にてＷＡＶＥ形式等所定の音声ファイル形式に変換され（ステップＳ４０）、メディアコントロール回路９６を介してメモリカード９８に記録される（ステップＳ４２）。
【００６６】
また、音声再生選択画面１４０において「はい」（音声再生を行う）を選択すると、カメラ１０に備えられた音声再生機能により、音声が再生される（ステップＳ４４）。
【００６７】
音声再生が終了すると、液晶モニタ４４は、図１４に示す音声データ処理選択画面１５０が表示され、再生した音声をメモリカード９８に記録するか、再生した音声を消去するかを選択する（図９のステップＳ４６）。
【００６８】
音声データ処理選択画面１５０において「いいえ」を選択すると、該音声データは消去され、カメラ１０の制御は被写体選択（ステップＳ１２）に遷移する。
【００６９】
一方、音声データ処理選択画面において「はい」（再生した音声を記録する）を選択すると、音声データは音声処理回路１００に転送され、音声処理回路にてＷＡＶＥ形式等所定の音声ファイル形式に変換され（ステップＳ４０）、メモリカード９８に記録される（ステップＳ４２）。
【００７０】
カメラ１０がムービーモードに設定されると、音声付きの動画記録が可能となる。レリーズボタン４８の押下（Ｓ２＝ＯＮ）によって録画動作がスタートし、もう一度レリーズボタン４８を押下（Ｓ１　＝ＯＮ）すると録画動作が停止する。レリーズボタン４８を押下継続している期間、録画動作を行い、押下解除により録画を停止するようにしてもよい。動画データは、例えば、モーションＪＰＥＧ形式によってメモリカード９８に記録される。
【００７１】
カメラ１０がボイスレコーダモードに設定されると音声記録が可能となる。レリーズボタン４８の全押し（Ｓ２＝ＯＮ）で録音を開始し、その後レリーズボタン４８の半押し（Ｓ１　＝ＯＮ）で録音を停止する。これにより、レリーズボタン４８の操作音が記録されないようになっている。マイク２６を介して入力された音声信号は、音声処理回路１００に入力される。音声処理回路１００は、入力した音声信号をデジタル信号に変換するとともに、所定のファイル形式（例えば、ＷＡＶＥ形式）　に変換する。こうして得られた音声データは、メディアコントロール回路９６を介してメモリカード９８に記録される。
【００７２】
図１５はメモリカード９８のディレクトリ（フォルダ）構造を示す図である。図１５に示したディレクトリ名およびファイル名は、一例であり適宜変更可能である。
【００７３】
ルート（ｒｏｏｔ）ディレクトリの下に、画像ファイル格納用ディレクトリ（ＤＣＩＭ）が形成されている。画像ファイル格納用ディレクトリ（ＤＣＩＭ）の下層には、複数のサブディレクトリ「１００　＿ｆｕｊｉ」、「１０１　＿ｆｕｊｉ」…が形成されており、ディレクトリ毎に分類して画像ファイルを保存することができる。
【００７４】
また、記録されたデータには記録形式に従ったファイル名が自動的に付けられる。例えばＪＰＥＧ形式で記録された静止画ファイルは「ＤＳＣＦ＊＊＊＊．ｊｐｇ」というファイル名（ただし＊＊＊＊は４桁の数字列）で記録され、ＷＡＶＥ形式で記録されたされた音声ファイルは「＊＊＊＊．ｗａｖ」というファイル名で記録される。
【００７５】
ファイル名は記録時にＣＰＵ７０によって自動付与される。また、ファイル名の４桁の番号は、原則として、重複なく連番で付与される。
【００７６】
ボイスメモ機能によって録音された音声ファイルは、ボイスメモの対象となる画像ファイルと拡張子を除いて同じファイル名が付与される。
【００７７】
すなわち、図１５中の音声ファイル「ＤＳＣＦ０００３．ｗａｖ」は、ボイスメモ機能によって画像ファイル「ＤＳＣＦ００３．ｊｐｇ　」関連付けされた音声ファイルであることを示している。
【００７８】
モード設定スイッチ４６によってカメラモードが設定され、モードダイヤル３２によって再生モードが選択されると、メモリカード９８に記録されている最終コマのファイルがメディアコントロール回路９６を介して読み出される。最終コマのファイルが静止画ファイルの場合、この読み出された画像ファイルの圧縮データは、圧縮伸長処理回路９４を介して非圧縮のＹＣ信号に伸長される。
【００７９】
伸長されたＹＣ信号は、画像再生処理回路８６およびビデオエンコード回路８８を介して表示用の信号に変換され、液晶モニタ４４に出力されるとともに、音声／映像出力端子５４に出力される。
【００８０】
これにより、液晶モニタ４４にはメモリカード９８に記録されている最終コマのコマ画像が表示され、また、音声／映像出力端子５４にテレビ受像機（不図示）が接続されている場合には、テレビ受像機に最終コマのコマ画像が表示される。
【００８１】
その後、右キー３４が押されると順方向にコマ送りされ、左キー３６が押されると逆方向にコマ送りされる。そして、コマ送りされたコマ位置の画像ファイルがメモリカード９８から読み出され、上記と同様にしてコマ画像が液晶モニタ４４に再生される。最終コマのコマ画像が表示されている状態で順方向にコマ送りされると、メモリカード９８に記録されている第１コマ目の画像ファイルが読み出され、１コマ目のコマ画像が液晶モニタ４４やテレビ受像機その他の画像表示装置に再生される。
【００８２】
再生対象ファイルが動画ファイルの場合には、動画の先頭コマが代表画像として表示され、動画再生開始の指示を受け付ける画面になる。また、再生対象ファイルが音声ファイルの場合には、液晶モニタ４４上に音声ファイルであることを示す所定の図像が表示され、音声再生開始の指示を受け付ける画面になる。音声再生開始の指示を入力すると、メモリカード９８から音声ファイルが読み出され、音声処理回路１００により音声信号に変換された後、スピーカー６２又はリモコン端子５６に接続されるヘッドホン（不図示）を介して音声として出力される。
【００８３】
上記の如く構成されたカメラ１０では、コード化された音声情報を画像としてカメラ１０に取り込み、カメラ１０に備えられた画像処理機能とデコードプログラムにより音声コード（画像形式）を音声データ（音声形式の信号）に変換し、記録できる。したがって、カメラの撮影機能を利用して、画像だけなく音声を記録することが可能になる。
【００８４】
上記にはデジタルカメラにおける実施形態を開示したが、本発明の適用範囲はデジタルカメラに限定されず、ムービーカメラにも適用可能である。
【００８５】
［応用例１］
本実施形態の応用例１を図１６を用いて説明する。
【００８６】
図１６は本発明の応用例１を示した図であり、写真に音声メッセージを添付したポストカードを製作するシステムが示されている。
【００８７】
図１６に示したカメラ２００はボイスメモ機能を有するデジタルカメラであり、被写体を撮影し、静止画をＪＰＥＧ形式でメモリカード２０２に記録するとともに、画像に添付するメッセージを録音しＷＡＶＥ形式でメモリカード２０２に記録する。
【００８８】
画像の記録形式はＪＰＥＧ形式に限定されず、他のファイル形式でも記録可能である。またメッセージの記録形式もＷＡＶＥ形式に限定されず、他のファイル形式でも記録可能である。基本実施形態に提示したとおり、画像ファイルと音声ファイルには自動的にファイル名が付与される。
【００８９】
２０４はポストカード製作依頼者を示し、製作依頼者２０４は画像ファイルと音声ファイルを記録したメモリカード２０２を高画質デジタルカメラプリントサービス店（以下プリント店と記載）２０６に渡す。（図１６中矢印２０８で提示）。製作依頼者２０４とプリント店２０６との画像ファイルおよびメッセージファイルの受け渡しはメモリカード等記録媒体による受け渡しに限定されず、インターネットなどネットワーク通信を利用した受け渡しも可能である。
【００９０】
プリント店２０６にはプリント装置２１０があり、プリント装置２１０はデータ入力部２１２、変換部２１４、出力部２１６を備えている。データ入力部２１２では受け取ったメモリカード２０２から画像ファイルおよびメッセージファイルを読み出し変換部２１４に転送する。
【００９１】
変換部に２１４おいて、画像ファイルは写真として印刷するための処理を施され、メッセージファイルは光学読取可能な情報コード形式に変換される。所定の処理を施された画像ファイルおよびメッセージファイルは出力部２１６に転送される。出力部２１６において、画像ファイルは写真として印刷され、メッセージファイルは光学読取可能な二次元コードとして印刷される。
【００９２】
本応用例における出力例を２１８、２２０、２２２に示す。図１６中２１８、２２０、２２２はポストカードである。ポストカード２１８は表面２１８Ａには画像、裏面２１８Ｂには光学読取可能な情報コード形式に変換されたメッセージが印刷されている。同様に、ポストカード２２０は表面２２０Ａには画像、裏面２２０Ｂには光学読取可能な情報コード形式に変換されたメッセージ、ポストカード２２２には表面２２２Ａには画像、裏面２２２Ｂには光学読取可能な情報コード形式に変換されたメッセージがそれぞれ印刷されている。
【００９３】
同じ画像に対して異な音声コードを印刷してもよいし、異なる画像に同じ音声コードを印刷してもよい。
【００９４】
ポストカードの印刷形態は上記に示した両面印刷に限らず、写真およびメッセージの何れも表面あるいは裏面のどちらか一方にに印刷することも可能である。
【００９５】
メモリカード２０２中に画像ファイルとメッセージファイルがそれぞれ複数存在する場合には、予め、画像ファイルとメッセージファイルの組み合わせおよびポストカードの製作数量を製作依頼者２０４から指示され、製作依頼者２０４の指示に従ってポストカードを製作する。製作されたポストカードは製作依頼者２０４に納入される（図１６中矢印２２６で提示）。
【００９６】
出力媒体の材質は紙類に限定されず、金属板、樹脂、布など、出力媒体表面にカラー印刷が可能な材質であれば何れでも良い。
【００９７】
画像ファイルとメッセージファイルの組み合わせと製作数の情報（発注情報）を画像ファイルおよびメッセージファイルとともにメモリカード２０２に予め記録しておき、プリント店２０６ではメモリカード２０２から発注情報を読み取ることも可能である。
【００９８】
上記の如く構成された写真にメッセージを添付して配布するシステムでは、画像およびメッセージ（音声）をポストカードに出力できる。また画像とメッセージがそれぞれ複数ある場合には、一つの画像に異なる音声メッセージを添付したり、一つの画像に複数の音声メッセージを添付したりすることが自在である。
【００９９】
送られてきたポストカード２１８、２２０、２２２を受け取った人は、図１から図１５で説明したカメラを用いて音声を再生して聴く。画像とともに音声を楽しむことができ写真の利用価値が高まる。
【０１００】
［応用例２］
図１７乃至図１８を用いて本実施形態の応用例２を説明する。
【０１０１】
図１７は観光地における記念写真撮影の様子を示し、図１８は案内看板３００に表示された案内メッセージ３０２をカメラ３０４で撮影する様子を示している。カメラ３０４は基本実施形態に提示したカメラ１０が備える機能をすべて有している。また、案内看板３００に表示された観光地案内は光学読取可能な情報コード形式に変換されている。
【０１０２】
撮影者（不図示）はカメラ３０４を静止画撮影モードに設定し、被撮影者３０６と風景３０８の撮影を行った後、カメラ３０４をコード撮影モードに切り替えて、案内看板３００に表示された案内メッセージ３０２を撮影する。
【０１０３】
静止画撮影された被写体（被撮影者３０６および風景３０８）像はカメラ３０４内で所定の信号処理を施され、ＪＰＥＧ形式に変換、ファイル名付与の後、カメラ３０４に備えられたメモリカード記録される。
【０１０４】
また、コード撮影された案内メッセージ３０２は、カメラ３０４内で所定の信号処理を施され、ＷＡＶＥ形式に変換される。さらに、前記ＪＰＥＧ形式（静止画）ファイルのボイスメモとしてファイル名を付与され、記念写真のボイスメモとしてカメラ３０４に備えられたメモリカードに記録される。
【０１０５】
カメラ３０４の音声再生機能でボイスメモを再生すると、記念写真を見ながら観光地案内を音声で聴くことができる。
【０１０６】
本発明における実施形態では、音声を取り扱う形態について例示したが、本発明の適用範囲は音声に限定されない。例えば、カメラの制御プログラムにおける、アップデートファイルの読み込みやオプション機能追加の際のプログラムロードなどにも適用可能である。
【０１０７】
【発明の効果】
本発明によれば、光学読取可能な情報コード形式に変換されたメッセージ（音声）を、カメラの撮影機能を利用してカメラに読み込むことが可能になる。さらに、読み込んだメッセージをカメラの画像処理を利用して音声データに変換し、読み込んだ音声情報はカメラに備えられた記録媒体に記録することができ、また聴き取り可能な音声として再生することができる。
【０１０８】
カメラ一台で被写体の撮影および記録、音声の記録および再生が可能になり、デジタルカメラの新たな利用方法を提案し、デジタルカメラの付加価値を高めることができる。
【図面の簡単な説明】
【図１】本発明の基本実施形態に係るカメラにより光学読取可能な情報コード形式に記録された音声データコードを取得する様子を示す図
【図２】光学読取可能な情報コード形式に記録された音声データコードを示す図
【図３】本発明の基本実施形態に係るカメラの正面図
【図４】本発明の基本実施形態に係るカメラの背面図
【図５】本発明の基本実施形態に係るカメラの上面図
【図６】本発明の基本実施形態に係るカメラの底面図
【図７】本発明の基本実施形態に係るカメラの右側面図
【図８】本発明の基本実施形態に係るカメラの電気的構成を示すブロック図
【図９】音声データコード読み込みの流れを示すフローチャート
【図１０】音声データコード読み込み状態を示す液晶モニタの表示を示す図
【図１１】音声データコード読み込み状態における合焦警告画面を示す図
【図１２】音声データコード読み込み状態におけるマーカー警告画面を示す図
【図１３】音声データコード読み込みにおける音声再生選択画面を示す図
【図１４】音声データコード読み込みにおける音声データ処理選択画面を示す図
【図１５】メモリカードのディレクトリ構想を示す図
【図１６】写真にメッセージを添付して配布するシステムを示した図
【図１７】観光地における記念写真撮影の様子を示す図
【図１８】案内看板に表示された観光地案内をカメラで撮影する様子を示す図
【符号の説明】
１０，２００，３０４…カメラ、１２…画像形成媒体、１４，２１８Ｂ，２２０Ｂ，２２２Ｂ，３００…音声コード、２０…撮影レンズ、４４…液晶モニタ、５４…音声／映像出力端子、６２…スピーカー、７０…ＣＰＵ、７１…ＲＯＭ、７３…ＲＡＭ、８０…画像信号処理回路、９８，２０２…メモリカード、２１０…プリント装置、２１２…データ入力部、２１４…変換部、２１６…出力部、２１８，２２０，２２２…ポストカード、Ｓ１６…デコードプログラム起動、Ｓ４０…圧縮・形式変換、Ｓ４２…記録、Ｓ４４…再生出力
【図１】
2004147254.tif 000003
【図２】
2004147254.tif 000004
【図３】
2004147254.tif 000005
【図４】
2004147254.tif 000006
【図５】
2004147254.tif 000007
【図６】
2004147254.tif 000008
【図７】
2004147254.tif 000009
【図８】
2004147254.tif 000010
【図９】
2004147254.tif 000011
【図１０】
2004147254.tif 000012
【図１１】
2004147254.tif 000013
【図１２】
2004147254.tif 000014
【図１３】
2004147254.tif 000015
【図１４】
2004147254.tif 000016
【図１５】
2004147254.tif 000017
【図１６】
2004147254.tif 000018
【図１７】
2004147254.tif 000019
【図１８】
2004147254.tif 000020